(57)【要約】【課題】表示ユニット及びディスクドライブユニットの間の接地インピーダンスの低下と表示ユニットからディスクドライブユニットへの伝熱量の抑制との両方の効果をバランスよく達成することのできるディスクドライブ搭載型表示装置及びこれに用いられる表示ユニットを提供すること。【解決手段】非導電性及び弾性を有する芯材が導電性を有する被覆部材で被覆されることによって形成されたガスケット３１（導電性弾性部材）が，液晶テレビＸ及びディスクドライブユニット２１の間に介在して，該液晶テレビＸのグランドに接続された導電性を有するシールドケース１２と前記ディスクドライブユニット２１のグランドに接続された導電性を有するドライブシャーシとを電気的に接続するよう構成されている。【選択図】図３
2010165440.tif 000002
【特許請求の範囲】
【請求項１】
映像を表示する映像表示パネルを有する表示ユニットと，ディスクドライブユニットとを備えてなり，前記ディスクドライブユニットが，前記表示ユニットの背面側の外装を形成する非導電性部材からなる背面側筐体の外側に載置されてなるディスクドライブ搭載型表示装置であって，
導電性及び弾性を有し，且つ熱伝導性が制限された一又は複数の導電性弾性部材を備えてなり，
前記導電性弾性部材が，前記表示ユニット及び前記ディスクドライブユニットの間に介在して，前記表示ユニットのグランドに接続された導電性を有する表示ユニット側接地部材と前記ディスクドライブユニットのグランドに接続された導電性を有するドライブ側接地部材とを電気的に接続するものであることを特徴とするディスクドライブ搭載型表示装置。
【請求項２】
前記導電性弾性部材が，前記表示ユニット側接地部材と前記ドライブ側接地部材とに挟まれて弾性変形することにより前記表示ユニット側接地部材及び前記ドライブ側接地部材各々に密着し，前記表示ユニット側接地部材と前記ドライブ側接地部材とを電気的に接続するものである請求項１に記載のディスクドライブ搭載型表示装置。
【請求項３】
前記背面側筐体における前記ディスクドライブユニットの装着部に一又は複数の開口が形成されており，
前記導電性弾性部材が，前記装着部に前記ディスクドライブユニットが装着されたときに前記開口を通じて前記背面側筐体の内側の前記表示ユニット側接地部材と前記背面側筐体の外側の前記ドライブ側接地部材とに接触するように配置されたものである請求項１又は２のいずれかに記載のディスクドライブ搭載型表示装置。
【請求項４】
前記導電性弾性部材は，前記表示ユニット側接地部材と前記ドライブ側接地部材とに挟まれて，或いは前記表示ユニット側接地部材と前記背面側筐体とに挟まれて弾性変形することにより前記背面側筐体の開口を閉塞するものである請求項３に記載のディスクドライブ搭載型表示装置。
【請求項５】
前記開口が，前記背面側筐体の外側から内側に向けて拡開するように傾斜及び段差を有するものである請求項４に記載のディスクドライブ搭載型表示装置。
【請求項６】
前記導電性弾性部材が，非導電性及び弾性を有する芯材が導電性を有する被覆部材で被覆されて形成されることによって導電性及び弾性を有し，且つ熱伝導性が制限された導電性ガスケットである請求項１〜５のいずれかに記載のディスクドライブ搭載型表示装置。
【請求項７】
前記芯材がスポンジ状の発泡性樹脂であって，前記被覆部材が金属繊維である請求項６に記載のディスクドライブ搭載型表示装置。
【請求項８】
前記被覆部材がポリエステル繊維に金属メッキが施されたものである請求項７に記載のディスクドライブ搭載型表示装置。
【請求項９】
映像を表示する映像表示パネルを有してなり，当該表示ユニットの背面側の外装を形成する非導電性部材からなる背面側筐体の外側にディスクドライブユニットが載置される表示ユニットであって，
導電性及び弾性を有し，且つ熱伝導性が制限された一又は複数の導電性弾性部材を備え，
前記導電性弾性部材が，前記表示ユニット及び前記ディスクドライブユニットの間に介在して，前記表示ユニットのグランドに接続された導電性を有する表示ユニット側接地部材と前記ディスクドライブユニットのグランドに接続された導電性を有するドライブ側接地部材とを電気的に接続するものであることを特徴とする表示ユニット。
【請求項１０】
前記背面側筐体における前記ディスクドライブユニットの装着部に一又は複数の開口が形成されており，
前記導電性弾性部材が，前記装着部に前記ディスクドライブユニットが装着されたときに前記開口を通じて前記背面側筐体の内側の前記表示ユニット側接地部材と前記背面側筐体の外側の前記ドライブ側接地部材とに接触するように配置されたものである請求項９に記載の表示ユニット。
【発明の詳細な説明】
【技術分野】
【０００１】
本発明は，光ディスクドライブやハードディスクドライブなどのディスクドライブユニットを搭載したテレビジョン受像機などのディスクドライブ搭載型表示装置に関し，特に，ディスクドライブユニットが表示ユニットの背面側筐体の外側に載置されたディスクドライブ搭載型表示装置に関するものである。
【背景技術】
【０００２】
昨今，液晶パネル等の映像表示パネルを備えた液晶テレビジョン受像機などの表示ユニットは薄型化が益々進み，厚みが数十ｍｍ程度のものが一般的となり，厚みが１０ｍｍ未満の製品も提供されつつある。
そして，このような薄型の表示ユニットは，薄型化によってユニット内における部品密度が高くなり，一般に通気性が良くない。そのため，表示ユニットにおいて，内部温度は７０℃程度まで上昇する場合があり，それに応じて，背面側の外装を形成する背面側筐体の温度は６０℃程度まで上昇する場合がある。
【０００３】
また，液晶テレビジョン受像機などの表示ユニットに，光ディスクドライブやハードディスクドライブなどのディスクドライブユニットが搭載されることによりディスクドライブ搭載型表示装置が構成されることがある。このディスクドライブユニットは，光ディスクやハードディスク等の記録メディアに放送番組等のコンテンツを録画する録画機能及び録画データに基づく再生機能を実現する。なお，光ディスクドライブには，ＤＶＤ（Digital Versatile Disc）を用いるＤＶＤドライブやブルーレイディスクを用いるブルーレイディスクドライブ等がある。
但し，ディスクドライブユニットに設けられ，ディスクメディアにアクセスして信号の読み書きを行うピックアップ部の特性は，表示ユニット内部に設けられる他の電子部品に比べて環境温度に対して敏感に変化する。そのため，ディスクドライブユニットの使用条件として，例えば環境温度が６０℃以下であることが必要となる場合がある。ここで，内部温度が７０℃程度まで達するおそれのある薄型の表示ユニットの筐体内にディスクドライブユニットを収納すると，該ディスクドライブユニットの使用条件が満たされない状況が想定される。
そこで，表示ユニットの背面側筐体の外側にディスクドライブユニットを載置させることが考えられる。これにより，表示ユニットからディスクドライブユニットへの熱の影響を少なくすることができ，該ディスクドライブユニットのピックアップ部に要求される環境温度についての使用条件を満たすことができる。
【０００４】
ところで，ディスクドライブユニットでは，その動作によって発生する電磁波の外部への輻射（不要電磁波輻射）を抑制するために，その電磁波を吸収するシールドケースを設ける等の措置が講じられる。例えば，特許文献１では，撮像ユニットの撮像素子の外側に導電性部材を配置することにより，該撮像素子からの不要電磁波輻射を抑制している。
ここで，ディスクドライブユニットが表示ユニット内に収容される場合には，各々のグランドをハーネス（配線）によって接続するだけでなく，ディスクドライブユニットのシールドケースを該表示ユニットのシャーシに直接接触させることによってディスクドライブユニット及び表示ユニットのグランド間のインピーダンスを低下させることができる。例えば，特許文献２では，ＶＴＲ一体型ビデオカメラにおいてＶＴＲ基板のシールドケースとＣＣＤ基板のシールドケースとを直接接触させることが提案されている。
しかし，前述したようにディスクドライブユニットを表示ユニットの背面側筐体の外側に配置する構成では，該ディスクドライブユニットのシールドケースを該表示ユニットのシャーシなどに直接連結させることができないため，ディスクドライブユニット及び表示ユニットのグランドがハーネスのみで接続されることになる。
そのため，ディスクドライブユニットを表示ユニットの外側に配置する構成では，表示ユニットにディスクドライブユニットを内蔵させる場合に比べて，表示ユニット及びディスクドライブユニットの間の接地インピーダンスが高くなり，該ディスクドライブユニットからの不要電磁波輻射の抑制効果が低下する。
【先行技術文献】
【特許文献】
【０００５】
【特許文献１】特開２００５−１２３２７号公報
【特許文献２】特開平６−１４２２５号公報
【発明の概要】
【発明が解決しようとする課題】
【０００６】
しかしながら，我が国のみならず米国を始めとする世界各国の厳しい不要電磁波輻射の基準に対応するためには，ディスクドライブユニットからの不要電磁波輻射をできるだけ抑制することが望ましい。
そこで，ディスクドライブユニットを表示ユニットの外側に配置する構成においても，表示ユニットのシャーシの一部をその背面側筐体から露出させておき，その露出したシャーシにディスクドライブユニットに直接接触させることによって表示ユニット及びディスクドライブユニットの間の接地インピーダンスを低下させることが考えられる。
ところが，表示ユニットのシャーシをディスクドライブユニットに直接接触させると，表示ユニット及びディスクドライブユニットの間の導電率のみならず熱伝導率も高まることになる。そのため，表示ユニットからディスクドライブユニットへの伝熱量が多くなり，ディスクドライブユニットが高温に達するおそれがあるという弊害が生じる。即ち，ディスクドライブ搭載型表示装置において，表示ユニット及びディスクドライブユニットの間の接地インピーダンスと表示ユニットからディスクドライブユニットへの伝熱量とはトレードオフの関係にある。また，前記表示ユニットからシャーシの一部を露出させる場合には，ディスクドライブユニットを取り外したときに，高温に達するシャーシの一部が露出することになるため安全対策上の課題も生じる。
従って，本発明は上記事情に鑑みてなされたものであり，その目的とするところは，表示ユニット及びディスクドライブユニットの間の接地インピーダンスの低下と表示ユニットからディスクドライブユニットへの伝熱量の抑制との両方の効果をバランスよく達成することのできるディスクドライブ搭載型表示装置及びこれに用いられる表示ユニットを提供することにある。
【課題を解決するための手段】
【０００７】
上記目的を達成するために本発明は，映像を表示する映像表示パネルを有する表示ユニットと，ディスクドライブユニットとを備えてなり，前記ディスクドライブユニットが，前記表示ユニットの背面側の外装を形成する非導電性部材からなる背面側筐体の外側に載置されてなるディスクドライブ搭載型表示装置に適用されるものである。そして，本発明に係るディスクドライブ搭載型表示装置は，導電性及び弾性を有し，且つ熱伝導性が制限された一又は複数の導電性弾性部材を備えており，前記導電性弾性部材が，前記表示ユニット及び前記ディスクドライブユニットの間に介在して，前記表示ユニットのグランドに接続された導電性を有する表示ユニット側接地部材と前記ディスクドライブユニットのグランドに接続された導電性を有するドライブ側接地部材とを電気的に接続するものであることを特徴とする。
具体的に，前記導電性弾性部材は，非導電性及び弾性を有する芯材が導電性を有する被覆部材で被覆されて形成されることによって導電性及び弾性を有し，且つ熱伝導性が制限された導電性ガスケットであることが考えられる。例えば，前記芯材がスポンジ状の発泡性樹脂であって，前記被覆部材が金属繊維であることが考えられる。また，前記被覆部材は，例えばポリエステル繊維にニッケルや銅などによる金属メッキが施されたものである。
本発明に係る前記ディスクドライブ搭載型表示装置では，前記導電性弾性部材によって前記表示ユニット側接地部材と前記ドライブ側接地部材とを適度な導電率及び熱伝導率で接続することができ，前記表示ユニット及び前記ディスクドライブユニットの間の接地インピーダンスの低下と前記表示ユニットから前記ディスクドライブユニットへの伝熱量の抑制との両方の効果をバランスよく達成することができる。
例えば，前記導電性弾性部材は，前記表示ユニット側接地部材と前記ドライブ側接地部材とに挟まれて弾性変形することにより前記表示ユニット側接地部材及び前記ドライブ側接地部材各々に密着し，前記表示ユニット側接地部材と前記ドライブ側接地部材とを電気的に接続するように配置される。
【０００８】
ところで，前記表示ユニットの前記背面側筐体から前記表示ユニット側接地部材の一部が露出していると，前記ディスクドライブユニットを取り外した状態で前記表示ユニットを稼働させたときに，その露出した前記表示ユニット側接地部材の一部が高温になるという製品の安全対策上の課題が残る。
そこで，前記背面側筐体における前記ディスクドライブユニットの装着部に一又は複数の開口を形成しておき，前記導電性弾性部材を，前記装着部に前記ディスクドライブユニットが装着されたときに前記開口を通じて前記背面側筐体の内側の前記表示ユニット側接地部材と前記背面側筐体の外側の前記ドライブ側接地部材とに接触するように配置することが望ましい。これにより，高温に達する前記表示ユニット側接地部材を露出させる必要がなく安全対策上の課題をも解消することができる。
ここで，前記導電性弾性部材は，前記表示ユニット側接地部材と前記ドライブ側接地部材とに挟まれて，或いは前記表示ユニット側接地部材と前記背面側筐体とに挟まれて弾性変形することにより前記背面側筐体の開口を閉塞するものであることが望ましい。これにより，前記表示ユニット内の高温の空気が前記背面側筐体の開口から前記ディスクドライブユニット側に流れることによる該ディスクドライブユニットの温度上昇を防止することができる。
さらに，前記開口が，前記背面側筐体の外側から内側に向けて拡開するように傾斜及び段差を有するものであることが望ましい。これにより，前記導電性弾性部材による前記開口の密閉度を高めることができる。
【０００９】
ところで，本発明は，前記ディスクドライブ搭載型表示装置を構成する表示ユニットの発明として捉えることも可能である。即ち，本発明は，映像を表示する映像表示パネルを有してなり，当該表示ユニットの背面側の外装を形成する非導電性部材からなる背面側筐体の外側にディスクドライブユニットが載置される表示ユニットであって，導電性及び弾性を有し，且つ熱伝導性が制限された一又は複数の導電性弾性部材を備え，前記導電性弾性部材が，前記表示ユニット及び前記ディスクドライブユニットの間に介在して，前記表示ユニットのグランドに接続された導電性を有する表示ユニット側接地部材と前記ディスクドライブユニットのグランドに接続された導電性を有するドライブ側接地部材とを電気的に接続するものであることを特徴とする表示ユニットとして捉えてもよい。
なお，当該表示ユニットは，前記ディスクドライブユニットを構成要素に含まないことを除けば，前述した前記ディスクドライブ搭載型表示装置と同様である。例えば，前記背面側筐体における前記ディスクドライブユニットの装着部に一又は複数の開口が形成されており，前記導電性弾性部材が，前記装着部に前記ディスクドライブユニットが装着されたときに前記開口を通じて前記背面側筐体の内側の前記表示ユニット側接地部材と前記背面側筐体の外側の前記ドライブ側接地部材とに接触するように配置されている。
【発明の効果】
【００１０】
本発明によれば，前記導電性弾性部材によって前記表示ユニット側接地部材と前記ドライブ側接地部材とを適度な導電率及び熱伝導率で接続することができ，前記表示ユニット及び前記ディスクドライブユニットの間の接地インピーダンスの低下と前記表示ユニットから前記ディスクドライブユニットへの伝熱量の抑制との両方の効果をバランスよく達成することができる。
【図面の簡単な説明】
【００１１】
【図１】本発明の実施形態に係る液晶テレビジョン受像機Ｘの背面側からの斜視図。
【図２】液晶テレビジョン受像機Ｘの要部模式図。
【図３】液晶テレビジョン受像機Ｘにおけるディスクドライブユニット２１の取り付け構造を説明するための図。
【図４】液晶テレビジョン受像機Ｘで用いられる導電性ガスケット３１の被覆部材３１ｂの電界シールド特性の一例を示す図。
【図５】液晶テレビジョン受像機Ｘにおけるディスクドライブユニット２１の取り付け構造の他の例（実施例１）を説明するための図。
【図６】液晶テレビジョン受像機Ｘにおけるディスクドライブユニット２１の取り付け構造の他の例（実施例２）を説明するための図。
【図７】液晶テレビジョン受像機Ｘにおけるディスクドライブユニット２１の取り付け構造の他の例（実施例３）を説明するための図。
【図８】液晶テレビジョン受像機Ｘにおけるディスクドライブユニット２１の取り付け構造の他の例（実施例４）を説明するための図。
【発明を実施するための形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１に示される斜視図を参照しつつ，本発明の実施の形態に係る液晶テレビジョン受像機Ｘ（以下，「液晶テレビＸ」と略称する）の外観について説明する。ここに，前記液晶テレビＸは，以下に説明する構成の他，一般的な液晶テレビと同様の構成を有するが，それらについては従来と特に異なるところがないため，ここではその説明を省略する。なお，前記液晶テレビＸは，本発明に係るディスクドライブ搭載型表示装置の一例に過ぎず，ディスクドライブユニットが搭載された液晶モニターなども本発明に係るディスクドライブ搭載型表示装置及び表示ユニットの一例である。
【００１３】
図１に示すように，前記液晶テレビＸは，受信したテレビジョン放送の映像や後述のディスクドライブユニット２１で再生される映像などを表示する液晶パネル１（映像表示パネルの一例）がその前面側に設けられている。一方，前記液晶テレビＸの背面側には，該液晶テレビＸの外装を形成する非導電性部材（樹脂など）からなる背面側筐体１０が設けられている。前記液晶テレビＸは，その厚み（ディスクドライブユニット２１除く）が１０ｍｍ〜数十ｍｍ程度の薄型表示装置である。
また，前記液晶テレビＸ内には，前記液晶パネル１を背後から照明するバックライトやそのバックライトに電力を供給するインバータ回路などの各種電子部品が設けられている。薄型の前記液晶テレビＸ内では，これらの部品密度が高くなるため内部温度が高温に達しやすい。そのため，前記液晶テレビＸの内部温度の上昇に伴って前記背面側筐体１０の温度も高くなりやすい。例えば，前記液晶テレビＸの内部温度は７０℃程度，前記背面側筐体１０の温度は６０℃程度まで上昇することがある。
【００１４】
そして，前記液晶テレビＸは，前記背面側筐体１０の外側に載置されたディスクドライブユニット２１及び該ディスクドライブユニット２１をカバーする非導電性部材（樹脂など）からなるカバー部材２２を備えている。
具体的に，図１に示す例では，前記ディスクドライブユニット２１は，前記背面側筐体１０の上下方向におけるほぼ中央から上方側に配置されている。なお，前記ディスクドライブユニット２１が装着される前の前記液晶テレビＸが，本発明に係る表示ユニットに相当する。
前記ディスクドライブユニット２１は，前記液晶テレビＸからの電源供給によって作動するものであって，図１における左方向から内部に挿脱されるブルーレイディスクやＤＶＤなどのディスクメディア（情報記録媒体）の情報の再生やディスクメディアの情報の再生／記録を行うブルーレイディスクドライブやＤＶＤドライブである。前記ディスクドライブユニット２１は，ディスクメディアにレーザ光を照射することによって該ディスクメディアにアクセスするピックアップ部などを有している。
前述したように，前記ディスクドライブユニット２１のピックアップ部には，使用条件として前記液晶テレビＸ内の温度よりも低いピックアップ部使用規格内の温度環境（以下「規格内温度環境」という）が必要である。そのため，前記ディスクドライブユニット２１は，前記液晶テレビＸの内部に収納されておらず，前記背面側筐体１０の外部に載置されている。これにより，前記液晶テレビＸ内に前記ディスクドライブユニット２１を収納する場合に比べて，前記液晶テレビＸから前記ディスクドライブユニット２１への熱の影響を抑制することができ，該ディスクドライブユニット２１の規格内温度環境を実現し得る。
【００１５】
ここで，前記ディスクドライブユニット２１の外装（ドライブ側接地部材の一例）は，導電性を有する鉄やアルミなどの金属材料で形成されており，該ディスクドライブユニット２１からの電磁波を吸収するためのシールドケースの機能を兼ねている。以下，前記ディスクドライブユニット２１の外装をドライブシャーシと称する。
前記ドライブシャーシは，前記ディスクドライブユニット２１のグランドに接続されており，該グランドは，電源ラインや信号ラインと共にハーネスによって前記液晶テレビＸの電気回路に接続されている。
これにより，前記ディスクドライブユニット２１で発生する電磁波は，前記ドライブシャーシ及び前記ハーネスを介して前記液晶テレビＸのグランドに吸収され，該ディスクドライブユニット２１から外部への不要電磁波輻射が抑制される。
【００１６】
しかしながら，前記ドライブシャーシや前記ハーネスの前記液晶テレビＸのグランドへの接地インピーダンスが高い場合や，前記ディスクドライブユニット２１で発生する電磁ノイズが大きい場合には，そのディスクドライブユニット２１からの不要電磁波輻射を十分に抑制することができないことが懸念される。一方，前記液晶テレビＸのシャーシを前記背面側筐体１０から露出させて前記ドライブシャーシと直接接触させると，該液晶テレビＸから前記ディスクドライブユニット２１への熱の影響が大きくなり，該ディスクドライブユニット２１の規格内温度環境を阻害するおそれがある。また，高温に達する前記液晶テレビＸのシャーシを露出させることは安全対策上にも問題を生じる。
そこで，本発明の実施の形態に係る前記液晶テレビＸでは，前記液晶テレビＸの背面側筐体１０の外側に前記ディスクドライブユニット２１を載置する構成において，該液晶テレビＸからの熱の影響（伝熱量）を抑制しつつ，前記液晶テレビＸ及び前記ディスクドライブユニット２１の間の接地インピーダンスを低下させるため，以下で説明する構成を採用している。
【００１７】
以下，図２及び図３を参照しつつ，前記液晶テレビＸにおける前記ディスクドライブユニット２１の取り付け構造について詳説する。
ここに，図２（ａ），（ｂ）は前記液晶テレビＸから前記ディスクドライブユニット２１及び前記背面側筐体１０を取り外した状態を示す要部模式図，図２（ｃ）は前記液晶テレビＸに設けられた導電性ガスケット３１の部品図，図２（ｄ）は前記背面側筐体１０の要部模式図，図２（ｅ），（ｆ）は前記液晶テレビＸに前記背面側筐体１０を装着した状態を示す要部模式図である。
図２（ａ），（ｂ）に示すように，前記液晶テレビＸから前記背面側筐体１０及び前記ディスクドライブユニット２１を取り外すと，該液晶テレビＸ内部に設けられたシャーシ１１やシールドケース１２（表示ユニット側接地部材の一例）が露出する。
【００１８】
前記シャーシ１１は，前記液晶テレビＸ全体の構造を決定するものであって，鉄やアルミなどの導電性を有する金属材料で形成されている。そして，前記シャーシ１１は，前記液晶テレビＸ全体における共通グランドとして用いられ，該液晶テレビＸ内の電気回路のグランドに接続されている。
前記シールドケース１２は，鉄やアルミなどの導電性を有する金属材料で形成されており，前記液晶テレビＸ内に設けられた電気回路を覆うように配置されている。そして，前記シールドケース１２は，前記シャーシ１１に直接接触した状態で固定されることにより，前記液晶テレビＸにおける共通グランドに電気的に接続されている。従って，前記液晶テレビＸでは，前記電気回路で発生する電磁波を前記シールドケース１２で吸収し，外部への不要電磁波輻射を抑制することができる。
ここで，前記シールドケース１２には，前記背面側筐体１０に形成された後述の開口１０ａ（図２（ｄ）参照）各々に対応する位置に導電性ガスケット３１（導電性弾性部材の一例，以下「ガスケット３１」と略称する）が取り付けられている。ここでは５つの開口１０ａに対応して５つの前記ガスケット３１が設けられている場合を例に説明するが，これに限られず前記開口１０ａ及び前記ガスケット３１は一又は複数の適宜の数であってよい。
【００１９】
前記ガスケット３１各々は，図２（ｃ）に示すように，導電性及び熱伝導性が低く，弾性を有する芯材３１ａが導電性を有する被覆部材３１ｂで被覆されることによって形成されている。これにより，前記ガスケット３１は，スポンジなどの弾性体部材が有する弾力性と金属などの導電体が有する導電性とを共に有している。なお，前記ガスケット３１全体の寸法は，縦１０ｍｍ，横４０ｍｍ，厚み５．５ｍｍであることが一例として考えられる。
例えば，前記芯材３１ａは，スポンジ状の発泡性樹脂であって，前記被覆部材３１ｂは，ポリエステル繊維にニッケルや銅などによる金属メッキが施された金属繊維である。具体的に，前記被覆部材３１ｂは，ポリエステル織布にニッケル及び銅による金属メッキが施されることにより０．０５［Ω／ｓｑ］の表面抵抗率を有するものであって，ＫＥＣ法による測定結果として図４に示す電界シールド効果が得られるものであることが考えられる。
このように，薄層の熱伝導層及び導電層を被膜として有する前記ガスケット３１は，前記液晶テレビＸのシャーシ１１や前記シールドケース１２，前記ディスクドライブユニット２１のドライブシャーシを構成する鉄やアルミなどの金属材料に比べて熱伝導率が低い。即ち，前記ガスケット３１は，導電性及び弾性を有するが，熱伝導性が制限されたものである。
また，前記ガスケット３１の長手方向の端面は，前記被覆部材３１ｂによって被覆されていない。従って，前記ガスケット３１への厚み方向の加圧により該ガスケット３１は弾性変形し得る。
なお，前記ガスケット３１の前記シールドケース１２への取り付けは，該ガスケット３１の被覆部材３１ｂ及び前記シールドケース１２が電気的に接続され得る手法であればよく，例えば前記ガスケット３１の一部に一般的な両面テープ又は導電性を有する導電性両面テープを貼り付けて前記シールドケース１２に接着させることが考えられる。また，前記シールドケース１２及び前記ガスケット３１の被覆部材３１ｂが接触する状態で該ガスケット３１を支持する所定の支持部材（ホルダ）を設けておくことも考えられる。
【００２０】
なお，ここでは前記ガスケット３１を導電性弾性部材の一例として説明するが，前記ガスケット３１に換えて，導電性及び弾性を有し，且つ熱伝導性が制限された導電性ゴムや導電性スポンジを用いることも考えられる。前記導電性ゴムや前記導電性スポンジには前記ガスケット３１と同等の導電性を有するものもあり，前記導電性ゴムや前記導電性スポンジを用いることが前記ガスケット３１を用いる場合に比べてコスト的に有利な場合があるためである。
ここに，前記導電性ゴムは，例えばフッ素ゴム，ウレタン，シリコーンゴムなどの非導電性及び弾性を有するゴムに，カーボンブラック，金属粉末，金属繊維などの導電性充てん剤（導電性材料）を混合することによって形成されたものである。前記導電性ゴムには，体積抵抗率が０．００４［Ω／ｍｍ3］程度の製品もある。
また，前記導電性スポンジは，非導電性及び弾性を有するスポンジ状の発泡性樹脂に導電性材料が混合されて形成されたものである。例えば，前記導電性スポンジは，フッ素ゴム，ウレタン，シリコーンゴムなどのゴムに導電性充てん剤（導電性材料）を混合すると共に，熱分解性の化学発泡剤を配合し加熱するなどの方法によって形成される。前記導電性スポンジには，体積抵抗率が０．０５［Ω／ｍｍ3］程度の製品もある。
このように形成された前記導電性ゴム及び前記導電性スポンジは，基本素材がゴムであるため金属よりも熱伝導率が低く制限されているが，導電性材料を含有しているため導電性を有している。そのため，前記ガスケット３１に換えて前記導電性ゴム及び前記導電性スポンジを用いても同様の効果を得ることができる。
【００２１】
一方，図２（ｄ）に示すように，前記背面側筐体１０には，前記ディスクドライブユニット２１を装着するための装着部１３が形成されている。なお，本実施の形態では，前記背面側筐体１０の一部に前記装着部１３が形成されている場合を例に挙げて説明するが，前記装着部１３は，前記背面側筐体１０に着脱し得るものであってもよい。
前記背面側筐体１０の装着部１３には，該背面側筐体１０を前記液晶テレビＸに装着したときに，該液晶テレビＸのシールドケース１２に取り付けられた前記ガスケット３１各々が貫挿されるように，該ガスケット３１各々の位置に対応する５つの開口１０ａが形成されている。ここに，前記開口１０ａの内径は，前記ガスケット３１の外径よりも若干大きく形成されている。
また，前記背面側筐体１０の装着部１３の厚みと前記ガスケット３１の厚みとは，前記背面側筐体１０が前記液晶テレビＸに装着されたときに前記装着部１３の開口１０ａから前記ガスケット３１の一部が外部に突出するように，少なくとも前記ガスケット３１の厚みが前記装着部１３の厚みよりも大きい関係にある。
従って，前記液晶テレビＸでは，図２（ｅ），（ｆ）に示すように，前記背面側筐体１０が装着されると，前記シールドケース１２は前記背面側筐体１０に覆われるため外部に露出しないが，前記ガスケット３１は前記背面側筐体１０の開口１０ａを通じてその一部が外部に突出した状態となる。
【００２２】
次に，図３を用いて，前記背面側筐体１０への前記ディスクドライブユニット２１の装着について説明する。
ここに，図３（ａ）は前記背面側筐体１０に前記ディスクドライブユニット２１及び前記カバー部材２２を装着した状態を示す要部模式図である。また，図３（ｂ）及び図３（ｃ）は，図３（ａ）におけるＡ−Ａ矢視断面図であって，図３（ｂ）は前記ディスクドライブユニット２１及び前記カバー部材２２を前記背面側筐体１０に装着する前の状態，図３（ｃ）は前記ディスクドライブユニット２１及び前記カバー部材２２を前記背面側筐体１０に装着した後の状態を示している。
図３（ｂ）に示すように，前記ディスクドライブユニット２１は，取付金具２３を介して，ビス２４，２５により前記カバー部材２２に取り付けられている。即ち，前記ディスクドライブユニット２１は，前記背面側筐体１０に取り付けられる前に前記カバー部材２２に取り付けられ，そのカバー部材２２と一体となっている。具体的に，図３（ｂ）に示される例では，前記ディスクドライブユニット２１に対して前記取付金具２３が前記ビス２４によって固定され，その取付金具２３が，前記ビス２５によって前記カバー部材２２の一部であるビス受部２２ａに固定されている。
ここで，前記ディスクドライブユニット２１は，前記背面側筐体１０に装着されたときに，前記装着部１３から突出した前記ガスケット３１に接触して該ガスケット３１を弾性変形させるため，前記ドライブシャーシの前記背面側筐体１０側の端面が前記カバー部材２２の前記背面側筐体１０側の端面と略同一面内となる状態で該カバー部材２２に固定されている。もちろん，これに限られず，前記ディスクドライブユニット２１が前記背面側筐体１０に装着されたときに該ディスクドライブユニット２１が前記ガスケット３１に接触し得る構成であれば，例えば前記ドライブシャーシの端面が前記カバー部材２２の端面よりも突出する構成，或いはその逆の構成であってもかまわない。
【００２３】
そして，前記ディスクドライブユニット２１と一体となった前記カバー部材２２は，該カバー部材２２に形成された厚肉部２２ｂの貫通孔にビス３０を挿通させ，該ビス３０を前記装着部１３に形成されたネジ孔に螺着することによって前記背面側筐体１０に固定される。
このようにして前記液晶テレビＸの背面側筐体１０に前記ディスクドライブユニット２１及びカバー部材２２が装着されると，図３（ｃ）に示すように，前記液晶テレビＸ及び前記ディスクドライブユニット２１の間に介在する前記ガスケット３１は，前記開口１０ａを通じて前背面側筐体１０の内側の前記シールドケース１２と前記背面側筐体１０の外側の前記ドライブシャーシとに接触する。このとき，前記ガスケット３１は，前記ディスクドライブユニット２１のドライブシャーシと前記液晶テレビＸのシールドケース１２との間に挟まれて弾性変形することにより前記ドライブシャーシ及び前記シールドケース１２に密着する。これにより，前記シールドケース１２及び前記ドライブシャーシが前記ガスケット３１を介して電気的に接続されることになり，即ち前記液晶テレビＸ及び前記ディスクドライブユニット２１各々のグランドが前記ガスケット３１によって電気的に接続されることになる。
【００２４】
以上説明したように，前記液晶テレビＸでは，前記ドライブシャーシ及び前記シールドケース１２が前記ガスケット３１を介して電気的に接続されるため，前記ハーネスだけで前記ディスクドライブユニット２１及び前記液晶テレビＸ各々のグランドが接続される場合に比べて，前記ディスクドライブユニット２１及び前記液晶テレビＸの間の接地インピーダンスを低下させることができ，前記ディスクドライブユニット２１からの不要電磁波輻射を効果的に抑制することができる。
また，前記ガスケット３１による熱伝導率は，前記ディスクドライブユニット２１のドライブシャーシや前記液晶テレビＸのシールドケース１２に比べて低いため，これらを直接接触させる場合に比べて，前記液晶テレビＸから前記ディスクドライブユニット２１への熱の影響（伝熱量）を抑制することができ，該ディスクドライブユニット２１の使用条件である規格内温度環境を確保することも可能である。
さらに，熱伝導率が高く高温に達する前記液晶テレビＸのシールドケース１２の一部を外部に突出させる必要がなく，熱伝導率の低い前記ガスケット３１だけを露出させておけばよい。そのため，仮に前記ディスクドライブユニット２１を取り外した状態で前記液晶テレビＸを稼働させた場合であっても，ユーザやサービスマンが火傷などを負う危険を回避することができ，安全対策上の観点から好適である。
【実施例１】
【００２５】
本実施例１では，前記液晶テレビＸから前記ディスクドライブユニット２１への高温の空気の流れを防止するための構造について説明する。ここに，図５は，本実施例２に係る前記液晶テレビジョン受像機Ｘにおけるディスクドライブユニット２１の取り付け構造を説明するための図である。なお，以下の実施例１〜４では，前記実施の形態において図１〜図３を用いて説明した構成要素と同じ構成要素については同じ符号を付してその説明を省略する。
図５（ａ）に示すように，前記ディスクドライブユニット２１を前記液晶テレビＸの背面側筐体１０の装着部１３に装着したときに，該装着部１３に形成された前記開口１０ａが前記ガスケット３１によって閉塞されず，該開口１０ａに隙間が形成される場合には，前記液晶テレビＸから前記ディスクドライブユニット２１に向けて高温の空気が流れることになる。この場合には，前記液晶テレビＸから前記ディスクドライブユニット２１への熱の影響を抑制する効果が低くなる。
そこで，図５（ｂ），（ｃ）に示すように，前記ガスケット３１が，前記ディスクドライブユニット２１及び前記液晶テレビＸのシールドケース１２によって挟まれることにより弾性変形して前記開口１０ａを閉塞するように十分な厚みを有することが望ましい。
これにより，前記ディスクドライブユニット２１が前記背面側筐体１０の装着部１３に装着されると，前記ガスケット３１の弾性変形によって前記開口１０ａが閉塞されるため，前記液晶テレビＸから前記ディスクドライブユニット２１への高温の空気の流れを防止することができる。従って，前記液晶テレビＸから前記ディスクドライブユニット２１への熱の影響を，より効果的に抑制することができる。
【実施例２】
【００２６】
本実施例２では，前記ガスケット３１を弾性変形させて前記開口１０ａを閉塞するための構造の他の例について説明する。ここに，図６は，本実施例３に係る前記液晶テレビジョン受像機Ｘにおけるディスクドライブユニット２１の取り付け構造を説明するための図である。
図６（ａ）に示すように，本実施例３に係る取り付け構造では，前記背面側筐体１０の装着部１３に形成された開口１０ａの内径が前記ガスケット３１の外径よりも小さい。
従って，前記背面側筐体１０が前記液晶テレビＸに装着されると，図６（ｂ）に示すように，前記ガスケット３１は，前記装着部１３の開口１０ａの縁部と前記シールドケース１２との間に挟まれることによって弾性変形し，その一部が前記開口１０ａを通じて外部に突出することになる。
そして，前記背面側筐体１０の開口１０ａから突出した前記ガスケット３１の一部は，前記ディスクドライブユニット２１が前記背面側筐体１０に装着されることによって該ディスクドライブユニット２１のドライブシャーシに接触し，該ドライブシャーシと前記液晶テレビＸのシールドケース１２とを電気的に接続する。このような構成においても，前記ディスクドライブユニット２１及び前記液晶テレビＸの間の接地インピーダンスを低下させることができる。
さらに，当該構成では，前記ガスケット３１が，前記装着部１３の開口１０ａの縁部と前記シールドケース１２との間に挟まれて弾性変形することにより前記開口１０ａを閉塞することになるため，前記液晶テレビＸから前記ディスクドライブユニット２１への高温の空気の流れを防止することができ，前記液晶テレビＸから前記ディスクドライブユニット２１への熱の影響を効果的に抑制することができる。
【実施例３】
【００２７】
本実施例３では，前記実施例１及び前記実施例２に係る構造の変形例について説明する。
前記実施例１や前記実施例２のように前記ガスケット３１を弾性変形させて前記装着部１３の開口１０ａを閉塞する構造では，図７（ａ）又は図７（ｃ）に示すように，前記開口１０ａが，前記背面側筐体１０の外側から内側に向けて拡開するように傾斜１０ｂ又は段差１０ｃを有するものであることが望ましい。即ち，前記背面側筐体１０の開口１０ａが該背面側筐体１０の内側に向けて徐々に拡がるように形成されている。もちろん，前記段差１０ｃは更に多段の段差であってもよい。
これにより，図７（ｂ）又は図７（ｄ）に示すように，前記背面側筐体１０及び前記ディスクドライブユニット２１が前記液晶テレビＸに装着され，前記ガスケット３１が前記背面側筐体１０と前記シールドケース１２との間に挟まれて弾性変形し，前記開口１０ａを閉塞するとき，該ガスケット３１と前記開口１０ａ内面との接触面積が広くなる。従って，前記開口１０ａの密閉度を高めることができ，前記液晶テレビＸからの高温の空気の漏れをより確実に防止し得る。
特に，前記実施例３の構造においては，前記開口１０ａが前記傾斜１０ｂ又は前記段差１０ｃを有することにより，前記ガスケット３１の弾性変形がその傾斜１０ｂや段差１０ｃに沿ってなされ，前記ガスケット３１の一部が前記開口１０ａから外部に突出しやすくなるという効果を奏する。
【実施例４】
【００２８】
本実施例４では，前記液晶テレビＸから前記ディスクドライブユニット２１への熱の影響をより効果的に抑制するための取り付け構造について説明する。
ここに，図８は液晶テレビジョン受像機Ｘにおけるディスクドライブユニット２１の取り付け構造の他の例を説明するための模式断面図であって，図８（ａ）はディスクドライブユニット２１及びカバー部材２２を背面側筐体１０に装着する前の状態，図８（ｂ）はディスクドライブユニット２１及びカバー部材２２を背面側筐体１０に装着した後の状態を示している。また，図８（ｃ）は背面側筐体１０を背面側から見たときの断熱用の窪み１３ａとディスクドライブユニット２１との重なり合いの関係の一例を表している。
【００２９】
図８（ａ）に示すように，本実施例１に係る背面側筐体１０の装着部１３には，前記ディスクドライブユニット２１に対向する面に断熱用の窪み１３ａが形成されている。これにより，前記ディスクドライブユニット２１が前記背面側筐体１０の装着部１３に取り付けられたときには，図８（ｂ）に示すように，前記ディスクドライブユニット２１と前記背面側筐体１０の装着部１３における前記断熱用の窪み１３ａよりも１段隆起した部分とが接することにより，該断熱用の窪み１３ａが密閉されることになる。
具体的に，図８（ｃ）に示す例では，前記断熱用の窪み１３ａの面積が，前記ディスクドライブユニット２１における前記背面側筐体１０の装着部１３への対向面の面積の約３／４の領域を占めている。即ち，前記ディスクドライブユニット２１における前記対向面の残りの約１／４の部分のみが，前記背面側筐体１０の装着部１３における前記断熱用の窪み１３ａの周囲の部分に接する。これにより，密閉された前記断熱用の窪み１３ａには，例えば空気が充填された状態となる。なお，密閉された前記断熱用の窪み１３ａに，空気よりも熱伝導率の低い物質が充填されることも考えられる。
【００３０】
このように構成された本実施例１に係る取り付け構造によれば，前記ディスクドライブユニット２１で密閉された前記断熱用の窪み１３ａの領域が，前記背面側筐体１０と前記ディスクドライブユニット２１との間に形成される断熱層となるため，高温な前記液晶テレビＸ内部から前記ディスクドライブユニット２１への熱伝達が大幅に遮られる。
また，図８（ａ）に示すように，前記ディスクドライブユニット２１が前記液晶テレビＸに装着されたときに該ディスクドライブユニット２１が前記ガスケット３１に接触するように，前記ガスケット３１として，該ガスケット３１の一部が前記装着部１３における前記窪み１３ａの周囲の部分よりも外部に突出するような十分な厚みを有するものが採用される。これにより，前記ディスクドライブユニット２１が前記液晶テレビＸに装着されたとき，該ディスクドライブユニット２１が前記ガスケット３１に接触することとなるため，前記ディスクドライブユニット２１及び前記液晶テレビＸの間の接地インピーダンスを低下させるという効果も維持される。
【産業上の利用可能性】
【００３１】
本発明は，液晶テレビジョン受像機などのディスクドライブ搭載型表示装置への利用が可能である。
【符号の説明】
【００３２】
Ｘ    ：液晶テレビジョン受像機
１    ：液晶パネル
１０  ：背面側筐体
１０ａ：開口
１０ｂ：傾斜
１０ｃ：段差
１１  ：シャーシ
１２  ：シールドケース
１３  ：装着部
１３ａ：断熱用の窪み
２１  ：ディスクドライブユニット
２２  ：カバー部材
２２ａ：ビス受部
２２ｂ：厚肉部
２３  ：取付金具
２４，２５，３０：ビス
３１  ：導電性ガスケット
３１ａ：芯材
３１ｂ：被覆部材
【図１】
2010165440.tif 000003
【図４】
2010165440.tif 000004
【図５】
2010165440.tif 000005
【図６】
2010165440.tif 000006
【図７】
2010165440.tif 000007
【図８】
2010165440.tif 000008
【図２】
2010165440.tif 000009
【図３】
2010165440.tif 000010